(57)【要約】【課題】表示映像の動き度合いに応じた制御をすることにより、残像抑圧効果を高めるとともに、静止画におけるフリッカを抑制する。【解決手段】入力映像信号の動き情報を検出し、動き検出信号を生成する動き検出部と、入力映像信号のフレームをＮ倍速（Ｎは２以上の整数）に高速化された高速化フレームに変換し、高速化映像信号を生成する映像高速化部と、高速化フレーム毎に、少なくとも第１ガンマ特性と第２ガンマ特性を順次選択するとともに、選択されたガンマ特性に従って高速化映像信号を補正するガンマ補正部と、を有している。ガンマ補正部は、動き検出信号に基づいて、ガンマ特性を選択する。【選択図】図１
2008216648.tif 000002
【特許請求の範囲】
【請求項１】
マトリックス状に配置された複数の画素を有する表示パネルを駆動して、画像を表示する映像表示装置であって、
入力される映像信号を記憶するバッファメモリと、
入力される映像信号の状態を判断する動き検出回路と、
Ｎ倍速（Ｎは２以上の整数）に映像信号を変換するＮ倍速制御回路と、
前記Ｎ倍速制御回路から出力する情報を基に、２種類以上の特性を切替えて、ガンマ変換を行うガンマ補正回路と、を備えることを特徴とする、映像表示装置。
【請求項２】
前記ガンマ補正回路は、第１ガンマ特性と第２ガンマ特性とを有し、
第１ガンマ特性と第２ガンマ特性との加算平均が映像表示装置の特性を補正する基本ガンマ特性になることを特徴とする、請求項１に記載の映像表示装置。
【請求項３】
前記ガンマ補正回路は、前記動き検出回路に基づいて切り替えるものであり、入力された映像信号を静止画と判断した場合は、第１ガンマ特性と第２ガンマ特性を同等となるように設定し、動画と判断した場合は、全体の動き速度の大きさに比例して第１ガンマ特性と基本特性の差、かつ第２ガンマ特性と基本特性との差を大きくしていくことを特徴とする、請求項１に記載の映像表示装置。
【請求項４】
所定のガンマ特性が内在された入力映像信号を補正し、固有のガンマ特性を有する表示部に表示する映像表示装置であって、
入力映像信号のフレームを、Ｎ倍速（Ｎは２以上の整数）に高速化された高速化フレームに変換し、高速化映像信号を生成する映像高速化手段と、
高速化フレーム毎に、少なくとも第１ガンマ特性と第２ガンマ特性を順次選択するとともに、選択されたガンマ特性に従って高速化映像信号を補正するガンマ補正手段と、を有することを特徴とする、映像表示装置。
【請求項５】
前記ガンマ補正手段は、第１ガンマ特性を、複数のガンマ特性を含む第１ガンマ特性群から選択する一方、第２ガンマ特性を、複数のガンマ特性を含む第２ガンマ特性群から選択することを特徴とする、請求項４に記載の映像表示装置。
【請求項６】
前記ガンマ補正手段は、連続するＭ個（Ｍは２以上の偶数）の高速化フレーム毎に選択されたＭ個のガンマ特性の平均値を表す平均ガンマ特性が、所定のガンマ特性の逆特性から固有のガンマ特性を相殺したガンマ特性に、大略同等となるように選択することを特徴とする、請求項４に記載の映像表示装置。
【請求項７】
さらに、入力映像信号の動き情報を検出し、動き検出信号を生成する動き検出手段を有し、
前記ガンマ補正手段は、動き検出信号に基づいて、ガンマ特性を選択することを特徴とする、請求項４に記載の映像表示装置。
【請求項８】
第１ガンマ特性と第２ガンマ特性の差は、動き検出信号の表す映像状態が、静止画状態から低速動画状態、高速動画状態へと高速化するにつれて、単調増加的に大きくなることを特徴とする、請求項７に記載の映像表示装置。
【請求項９】
第１ガンマ特性と第２ガンマ特性の差は、動き検出信号の表す映像状態が、静止画状態の場合、大略ゼロとなることを特徴とする、請求項７に記載の映像表示装置。
【請求項１０】
所定のガンマ特性が内在された入力映像信号を補正し、固有のガンマ特性を有する表示部に表示する映像表示方法であって、
入力映像信号のフレームを、Ｎ倍速（Ｎは２以上の整数）に高速化された高速化フレームに変換し、高速化映像信号を生成するステップと、
高速化フレーム毎に、少なくとも第１ガンマ特性と第２ガンマ特性を順次選択するとともに、選択されたガンマ特性に従って高速化映像信号を補正するステップと、を有することを特徴とする、映像表示方法。
【請求項１１】
前記補正するステップは、第１ガンマ特性を、複数のガンマ特性を含む第１ガンマ特性群から選択する一方、第２ガンマ特性を、複数のガンマ特性を含む第２ガンマ特性群から選択することを特徴とする、請求項１０に記載の映像表示方法。
【請求項１２】
前記補正するステップは、連続するＭ個（Ｍは２以上の偶数）の高速化フレーム毎に選択されたＭ個のガンマ特性の平均値を表す平均ガンマ特性が、所定のガンマ特性の逆特性から固有のガンマ特性を相殺したガンマ特性に、大略同等となるように選択することを特徴とする、請求項１０に記載の映像表示方法。
【請求項１３】
さらに、入力映像信号の動き情報を検出し、動き検出信号を生成するステップを有し、
前記補正するステップは、動き検出信号に基づいて、ガンマ特性を選択することを特徴とする、請求項１０に記載の映像表示方法。
【請求項１４】
第１ガンマ特性と第２ガンマ特性の差は、動き検出信号の表す映像状態が、静止画状態から低速動画状態、高速動画状態へと高速化するにつれて、単調増加的に大きくなることを特徴とする、請求項１３に記載の映像表示方法。
【請求項１５】
第１ガンマ特性と第２ガンマ特性の差は、動き検出信号の表す映像状態が、静止画状態の場合、大略ゼロとなることを特徴とする、請求項１３に記載の映像表示方法。
【請求項１６】
請求項１に記載の映像表示装置と、
補正された高速化映像信号を表示する表示手段と、を有することを特徴とする、映像表示システム。
【発明の詳細な説明】
【技術分野】
【０００１】
本発明は、マトリックス状に配置された複数の画素を有する表示パネルを駆動して、映像を表示する技術に関し、さらに詳しくは映像表示装置、映像表示方法、および映像表示システムの技術に関する。
【背景技術】
【０００２】
マトリックス型の液晶表示装置は、各画素に容量性負荷を持つため、データ信号電圧を印加すると、印加電圧に応じた配向状態を次のフレームの信号電圧印加まで保持する。このような表示装置はホールド型表示装置と呼ばれるが、インパルス型表示装置に比べ、時間周波数特性や空間周波数特性が劣化することにより、画像のぼけや残像が生じる。また、動画の場合には、人間の視線が動いている物体を追跡するために、視覚的に残像が発生することもある。
【０００３】
そこで、このような問題を解決するために、黒挿入駆動方式、バックライト駆動技術等の技術が種々開発されている。例えば、黒挿入型を改良した液晶表示装置（例えば、特許文献１参照）は、入力映像信号の１フレーム期間内において、映像信号の書き込み時間を制御する。具体的には、ある映像信号のフレームを走査してから次のフレームを走査するまで、画素の発光時間（画像表示期間）を短縮し、擬似的なインパルス型表示を実現する。
【０００４】
このような従来の液晶表示装置について、図８を用いて説明する。従来の液晶表示装置において、フレーム周波数変換部１１３は、入力画像信号を２倍のフレーム周波数に変換し、変換画像信号を出力する。信号切替部１１４は、制御ＣＰＵ１１２からの制御信号に基づいて、変換画像信号と黒レベル固定の黒表示信号とを切り替えて出力する。ここでは、入力画像信号の１フレーム期間を均等に６分割した期間のうち、２、４、６番目の期間に、変換画像信号を選択する。それ以外の１、３、５番目の期間に、黒表示信号を選択する。
【０００５】
これにより、１フレーム期間内で２回繰り返し出力される画像信号に対し、３／６の期間で黒表示信号を挿入して出力することが可能となる。電極駆動部１０５は、各垂直表示期間の画像信号及び黒表示信号を、液晶表示パネル１０６の画面全体に対して１垂直走査期間（１／２フレーム期間）内で書込走査する。それゆえ、入力画像信号の１フレーム期間内で、液晶表示パネル１０６の画面全体を２回走査することが可能になる。これにより、各画素の発光期間（画像表示期間）を入力画像信号の１／２フレーム期間に短縮して、擬似的なインパルス型表示を実現している。
【０００６】
また、黒挿入型を改良した液晶表示装置として、入力信号の数フレーム間において、映像信号の一部の駆動タイミングを変換することで、階調を落とした信号を挿入する構成もある（例えば、特許文献２参照）。
【特許文献１】特開２００４−２３３９３２号公報
【特許文献２】特開２００５−１２８４８８号公報
【発明の開示】
【発明が解決しようとする課題】
【０００７】
しかしながら、上述した従来の液晶表示装置では、黒挿入を実施するため輝度が低下したり、または一部のフレームにおいて階調を低下させるため、入力信号の階調よりも輝度が低下したりする。このように、従来の液晶表示装置では、動画特性を向上させるために輝度が低下することが、問題となっていた。
【０００８】
本発明は、上述した従来の課題を解決するもので、入力映像信号の階調に対する輝度低下を防止しつつ、黒挿入と同等の効果をもたらすことを目的とする。
【課題を解決するための手段】
【０００９】
上述した目的を達成するために、本発明の映像表示装置は、マトリックス状に配置された複数の画素を有する表示パネルを駆動して、画像を表示する映像表示装置であって、入力される映像信号を記憶するバッファメモリと、入力される映像信号の状態を判断する動き検出回路と、Ｎ倍速（Ｎは２以上の整数）に映像信号を変換するＮ倍速制御回路と、前記Ｎ倍速制御回路から出力する情報を基に、２種類以上の特性を切替えて、ガンマ変換を行うガンマ補正回路と、を備えることを特徴としている。
【００１０】
また、本発明の映像表示装置は、所定のガンマ特性が内在された入力映像信号を補正し、固有のガンマ特性を有する表示部に表示する映像表示装置であって、入力映像信号のフレームを、Ｎ倍速（Ｎは２以上の整数）に高速化された高速化フレームに変換し、高速化映像信号を生成する映像高速化手段と、高速化フレーム毎に、少なくとも第１ガンマ特性と第２ガンマ特性を順次選択するとともに、選択されたガンマ特性に従って高速化映像信号を補正するガンマ補正手段と、を有することを特徴としている。
【００１１】
さらに、本発明の映像表示方法は、所定のガンマ特性が内在された入力映像信号を補正し、固有のガンマ特性を有する表示部に表示する映像表示方法であって、入力映像信号のフレームを、Ｎ倍速（Ｎは２以上の整数）に高速化された高速化フレームに変換し、高速化映像信号を生成するステップと、高速化フレーム毎に、少なくとも第１ガンマ特性と第２ガンマ特性を順次選択するとともに、選択されたガンマ特性に従って高速化映像信号を補正するステップと、を有することを特徴としている。
【００１２】
また、本発明の映像表示システムは、映像表示装置と、補正された高速化映像信号を表示する表示手段と、を有し、前記映像表示装置は、入力映像信号のフレームを、Ｎ倍速（Ｎは２以上の整数）に高速化された高速化フレームに変換し、高速化映像信号を生成する映像高速化手段と、高速化フレーム毎に、少なくとも第１ガンマ特性と第２ガンマ特性を順次選択するとともに、選択されたガンマ特性に従って高速化映像信号を補正するガンマ補正手段と、を有することを特徴としている。
【発明の効果】
【００１３】
本発明によれば、平均ガンマ特性を上回る場合と下回る場合の２種類のガンマ特性を用い、これらを高速化フレーム毎に交互に選択する。これにより、選択されたガンマ特性は時間軸上で平均化されるため、液晶パネルに表示される映像は、平均ガンマ特性に基づいた所望の階調特性を示すようになる。しかも、平均ガンマ特性を下回り、輝度が低下した高速化フレームを挿入することにより、輝度を維持したまま、動画状態における残像現象を縮小することが可能となる。さらに、静止画状態に近い状態であればフリッカ防止に重点を置き、高速動画状態に近い状態であれば残像現象の縮小に重点を置くため、フリッカ防止と残像現象縮小の両立が可能となる。
【発明を実施するための最良の形態】
【００１４】
以下、本発明の実施の形態に関するいくつかの例について、図面を参照しながら説明する。なお、図面において、実質的に同一の構成、動作、および効果を表す要素については、同一の符号を付す。また、以下において記述される数字は、すべて本発明を具体的に説明するために例示したものであり、本発明は例示された数字に制限されない。さらに、構成要素間の接続関係は、本発明を具体的に説明するために例示したものであり、本発明の機能を実現する接続関係はこれに限定されるものではない。
【００１５】
（実施の形態１）
図１は、実施の形態１による映像表示装置の構成を示すブロック図である。図１の映像表示装置は、映像出力回路１、動き検出回路１０、バッファメモリ２０、Ｎ倍速制御回路３０、ガンマ補正回路４０、液晶駆動回路５０、及び液晶パネル６０を備える。
【００１６】
映像出力回路１は、Ｒ、Ｇ、Ｂの各色成分に分離された映像信号Ｓ１と、映像信号Ｓ１に同期し、垂直同期信号および水平同期信号等で構成される同期信号Ｓ２と、を出力する。映像出力回路１は、インターレース／プログレッシブ変換回路を含み、映像信号Ｓ１は、例えば２９．９７（Ｈｚ）のフレーム周波数を有するプログレッシブ（順次走査）信号として出力される。換言すれば、映像信号Ｓ１は、３３．４（ｍｓ）の１フレーム期間毎に１フレームが順次走査される信号である。実施の形態１の映像表示装置は、映像信号Ｓ１に内在する所定のガンマ特性を補正し、液晶パネル６０に所望の階調特性で表示する。所定のガンマ特性は、ＣＲＴ型受信機のガンマ特性を補正するため、放送局用カメラや民生用ビデオカメラなどの内部で生成される。
【００１７】
動き検出回路１０は、映像信号Ｓ１の動き情報を検出し、動き検出信号Ｓ１０を生成する。動き検出信号の表す映像状態は、動きの程度が高速化するにつれて、静止画状態から低速動画状態、高速動画状態へと変化する。
【００１８】
バッファメモリ２０は映像信号Ｓ１を入力し、Ｎ倍速制御回路３０は動き検出信号Ｓ１０および同期信号Ｓ２を入力する。バッファメモリ２０およびＮ倍速制御回路３０は、映像高速化部２を構成する。映像高速化部２は、映像信号Ｓ１をＮ倍速（Ｎは２以上の整数）にし、２９．９７×Ｎ（Ｈｚ）に高速化された高速化フレーム周波数の高速化映像信号Ｓ２０を生成する。すなわち、映像高速化部２は、映像信号Ｓ１のフレームを、Ｎ倍速に高速化されたフレーム（以下、高速化フレームと呼ぶ）に変換し、高速化映像信号Ｓ２０を生成する。同時にＮ倍速制御回路３０は、同期信号Ｓ２をＮ倍速にして、２９．９７×Ｎ（Ｈｚ）の高速化フレーム周波数の高速化同期信号Ｓ３０を生成する。高速化映像信号Ｓ２０は、３３．４／Ｎ（ｍｓ）の１高速化フレーム期間毎に１高速化フレームが順次走査される信号である。一例として、Ｎは２、３、または４に設定される。
【００１９】
連続するＭ個（Ｍは２以上の偶数）の高速化フレームは、Ｍ／２個の偶高速化フレームとＭ／２個の奇高速化フレームに分けられる。これらの高速化フレームは、偶高速化フレーム、奇高速化フレーム、偶高速化フレーム、・・・、奇高速化フレームのように、時系列で並べられる。すなわち、偶高速化フレームを先頭に、偶高速化フレーム、奇高速化フレームの順に繰り返され、奇高速化フレームで終わる。一例として、Ｍは２に設定される。
【００２０】
映像高速化部２は、映像信号Ｓ１のフレームをＮ回複製して高速化フレームを生成してもよい。また、映像高速化部２は、３次元デジタルフィルタにより、映像信号Ｓ１の各フレーム間を補間し、高速化フレームを生成してもよい。後者の方が、動画時における高速化映像信号Ｓ２０の滑らかさが向上する。
【００２１】
ガンマ補正回路４０は、動き検出信号Ｓ１０に基づき、高速化同期信号Ｓ３０に同期して高速化映像信号Ｓ２０のガンマ特性を補正し、補正映像信号Ｓ４０を生成する。
【００２２】
液晶駆動回路５０は、極性反転回路、ゲート駆動回路及びソース駆動回路等から構成され、補正映像信号Ｓ４０を用いてソース駆動回路により液晶パネル６０を駆動し、映像を液晶パネル６０に表示する。液晶パネル６０は、マトリックス状に配置された複数の画素を有し、例えば、ＴＮ（Ｔｗｉｓｔｅｄ  Ｎｅｍａｔｉｃ）液晶により構成される。液晶駆動回路５０および液晶パネル６０は、表示部３を構成する。表示部３、特に液晶パネル６０は、固有のガンマ特性を有する。
【００２３】
図２にガンマ補正回路４０の構成を示し、図３にガンマ補正回路４０のガンマ特性を模式的に示す。ガンマ補正回路４０は、ガンマ変換回路４００、ガンマ変換回路４１０、および選択回路４３０で構成される。ガンマ変換回路４００は、ガンマ変換回路４００のガンマ特性Ｔ４００に従って高速化映像信号Ｓ２０を変換し、変換映像信号Ｓ４００を生成する。同様に、ガンマ変換回路４１０は、ガンマ変換回路４１０のガンマ特性Ｔ４１０に従って高速化映像信号Ｓ２０を変換し、変換映像信号Ｓ４１０を生成する。
【００２４】
選択回路４３０は、高速化同期信号Ｓ３０に従って、高速化フレーム毎に変換映像信号Ｓ４００または変換映像信号Ｓ４１０のいずれか１個を交互に選択し、補正映像信号Ｓ４０を生成する。実施の形態１では、高速化同期信号Ｓ３０が偶高速化フレームを表す場合、変換映像信号Ｓ４００が選択され、高速化同期信号Ｓ３０が奇高速化フレームを表す場合、変換映像信号Ｓ４１０が選択される。なお、高速化同期信号Ｓ３０が偶高速化フレームを表す場合、変換映像信号Ｓ４１０が選択され、高速化同期信号Ｓ３０が奇高速化フレームを表す場合、変換映像信号Ｓ４００が選択されるようにしてもよい。
【００２５】
図３は、実施の形態１による各ガンマ特性Ｔ４００、Ｔ４１０の一例を示すグラフである。横軸は、各ガンマ変換回路４００、４１０に入力される高速化映像信号Ｓ２０の大きさを、線形目盛りで表す。縦軸は、ガンマ変換回路４００、４１０からそれぞれ出力される変換映像信号Ｓ４００、Ｓ４１０の大きさを、線形目盛りで表す。このような各ガンマ特性Ｔ４００、Ｔ４１０は、例えば、ＲＯＭ（読み出し専用メモリ）やＲＡＭ（随時書き込み読み出しメモリ）によるルックアップテーブル（ＬＵＴ）で構成される。また、演算器を用いて、演算により求めてもよい。
【００２６】
ガンマ特性Ｔ４００とガンマ特性Ｔ４１０の平均値、すなわち同一入力に対する両出力の平均値は、平均ガンマ特性Ｔ４０で表される。実施の形態１の映像表示装置は、映像信号Ｓ１に内在する所定のガンマ特性を補正し、表示部３に所望の階調特性で表示する。所定のガンマ特性の逆特性から、表示部３に固有のガンマ特性を相殺したガンマ特性（これを標準ガンマ特性とも呼ぶ）に、平均ガンマ特性Ｔ４０が大略同等となるように、ガンマ補正回路４０は各ガンマ特性Ｔ４００、Ｔ４１０のうちいずれか１個を選択する。表示部３で好みの階調特性を得るため、場合によっては、平均ガンマ特性Ｔ４０は標準ガンマ特性から変位する。実施の形態１の映像表示装置において、階調特性に影響を与えるブロックは、ガンマ補正回路４０および表示部３である。
【００２７】
ガンマ特性Ｔ４００は、平均ガンマ特性Ｔ４０を上回り、液晶パネル６０に表示される映像の輝度を上げる。ガンマ特性Ｔ４１０は、平均ガンマ特性Ｔ４０を下回り、液晶パネル６０に表示される映像の輝度を下げる。ガンマ補正回路４０は、高速化フレーム毎にガンマ特性Ｔ４００またはガンマ特性Ｔ４１０のいずれか１個を交互に選択する。換言すれば、ガンマ補正回路４０は、連続する２つの高速化フレームにおいて、１番目の高速化フレームでガンマ特性Ｔ４００を選択し、１番目の高速化フレームに続く２番目の高速化フレームで、ガンマ特性Ｔ４００に比べて同等以下のガンマ特性Ｔ４１０を選択する。これにより、ガンマ特性は時間軸上で平均化され、視覚的に、高速化フレーム毎に平均ガンマ特性Ｔ４０を与えた場合と同等の効果を得る。その結果、実施の形態１の映像表示装置において、液晶パネル６０に表示される映像は、所望の階調特性を示す。しかも、輝度が低下した高速化フレームを挿入することにより、輝度を維持したまま、動画時の残像時間を短縮することが可能となる。
【００２８】
なお、別の観点によれば、図３において、各ガンマ特性は入力レベルに対する透過率特性を表す。横軸は表示すべき透過率を表し、縦軸は実際に表示される透過率を表す。各透過率は正規化されている。ガンマ特性Ｔ４００は、表示すべき透過率より実際に表示される透過率が高い、すなわち明るい変換特性を有する特性に設定されている。ガンマ特性Ｔ４１０は、表示すべき透過率より実際に表示される透過率が低い、すなわち暗い変換特性を有す特性に設定されている。また、高速化フレーム毎にガンマ特性Ｔ４００またはガンマ特性Ｔ４１０が交互に選択され、これらガンマ特性の平均化したものが総合ガンマ特性となるようにするため、総合ガンマ特性の場合と同等の透過率が実現される。さらに、表示すべき透過率より実際に表示される透過率が低い状態を作ることができることで、動画時の残像防止を実現することができる。
【００２９】
また、実施の形態１では、映像信号Ｓ１のフレーム周波数を２９．９７（Ｈｚ）としたが、その２倍の５９．９４（Ｈｚ）、または３０（Ｈｚ）、６０（Ｈｚ）、５０（Ｈｚ）、２５（Ｈｚ）、２４（Ｈｚ）のようにしてもよい。
【００３０】
さらに、上述の説明では、構成要素の機能を分離し、機能毎に明確化するため、インターレース／プログレッシブ変換回路は、映像出力回路１に含まれるとした。しかし、映像高速化部２がバッファメモリ２０と連携動作するインターレース／プログレッシブ変換用デジタルフィルタを含み、映像信号Ｓ１をインターレース／プログレッシブ変換するとしてもよい。この場合、映像高速化部２は、フレーム周波数が２９．９７（Ｈｚ）のインターレース映像信号Ｓ１を入力し、インターレース／プログレッシブ変換とＮ倍速変換を同時に行い、２９．９７×Ｎ（Ｈｚ）のプログレッシブ変換された高速化映像信号Ｓ２０を生成する。この場合の方が、Ｎ倍速変換にも原インターレース映像信号Ｓ１を用いるため、プログレッシブ高速化映像信号Ｓ２０の画質が向上する。
【００３１】
さらに、実施の形態１では、ガンマ補正回路４０は、プログレッシブ変換された高速化映像信号Ｓ２０に対して、ガンマ特性を補正していた。別の実施の形態として、映像高速化部２は、フレーム周波数が２９．９７（Ｈｚ）、５９．９４（Ｈｚ）、３０（Ｈｚ）、６０（Ｈｚ）、５０（Ｈｚ）、２５（Ｈｚ）、または２４（Ｈｚ）で、フィールド周波数がこれらフレーム周波数の２倍のインターレース映像信号Ｓ１をＮ倍速し、インターレース高速化映像信号Ｓ２０を生成してもよい。この場合、ガンマ補正回路４０は、インターレース高速化映像信号Ｓ２０に対してガンマ特性を補正し、インターレース補正映像信号Ｓ４０を生成する。表示部３は、インターレース補正映像信号Ｓ４０を、飛び越し走査で表示する。
【００３２】
また、実施の形態１では、高速化フレーム毎に、ガンマ特性Ｔ４００またはガンマ特性Ｔ４１０を交互に選択していた。別の実施の形態として、平均ガンマ特性Ｔ４０に対して、同等以上で２個以上の上位ガンマ特性群と、同等以下で２個以上の下位ガンマ特性群を設ける。ガンマ補正回路４０は、連続するＭ個の高速化フレーム毎に、Ｍ／２個の高速化フレームに対して上位ガンマ特性群の中から、残りのＭ／２個の高速化フレームに対して下位ガンマ特性群の中から、それぞれＭ／２個のガンマ特性を選択する。ここで、選択されたＭ個のガンマ特性の平均値は、平均ガンマ特性に大略同等とする。このようにすれば、より自由度が高いガンマ特性が設定可能となる。
【００３３】
（実施の形態２）
実施の形態２では、実施の形態１と異なる点を中心に説明する。その他の構成、動作、および効果は、実施の形態１と同等であるので、説明を省略する。
【００３４】
図４は、実施の形態２による映像表示装置のガンマ補正回路４０である。ガンマ補正回路４０は、ガンマ変換部４、ガンマ変換部５、および選択部６で構成される。ガンマ変換部４は、ガンマ変換回路４００、ガンマ変換回路４０１、およびガンマ変換回路４０２を含む。同様に、ガンマ変換部５は、ガンマ変換回路４１０、ガンマ変換回路４１１、およびガンマ変換回路４１２を含む。
【００３５】
ガンマ変換回路４００は、ガンマ変換回路４００のガンマ特性Ｔ４００に従って高速化映像信号Ｓ２０を変換し、変換映像信号Ｓ４００を生成する。ガンマ変換回路４０１は、ガンマ変換回路４０１のガンマ特性Ｔ４０１に従って高速化映像信号Ｓ２０を変換し、変換映像信号Ｓ４０１を生成する。ガンマ変換回路４０２は、ガンマ変換回路４０２のガンマ特性Ｔ４０２に従って高速化映像信号Ｓ２０を変換し、変換映像信号Ｓ４０２を生成する。
【００３６】
同様に、ガンマ変換回路４１０は、ガンマ変換回路４１０のガンマ特性Ｔ４１０に従って高速化映像信号Ｓ２０を変換し、変換映像信号Ｓ４１０を生成する。ガンマ変換回路４１１は、ガンマ変換回路４１１のガンマ特性Ｔ４１１に従って高速化映像信号Ｓ２０を変換し、変換映像信号Ｓ４１１を生成する。ガンマ変換回路４１２は、ガンマ変換回路４１２のガンマ特性Ｔ４１２に従って高速化映像信号Ｓ２０を変換し、変換映像信号Ｓ４１２を生成する。
【００３７】
選択部６は、選択回路４２０、選択回路４２１、および選択回路４３０を含む。選択回路４２０は、動き検出信号Ｓ１０に従って、各変換映像信号Ｓ４００、Ｓ４０１、Ｓ４０２のいずれか１個を選択し、選択映像信号Ｓ４２０を生成する。同様に、選択回路４２１は、動き検出信号Ｓ１０に従って、各変換映像信号Ｓ４１０、Ｓ４１１、Ｓ４１２のいずれか１個を選択し、選択映像信号Ｓ４２１を生成する。
【００３８】
動き検出信号Ｓ１０が静止画状態を表す場合、選択回路４２０は変換映像信号Ｓ４００を選択し、選択回路４２１は変換映像信号Ｓ４１０を選択する。動き検出信号Ｓ１０が低速動画状態を表す場合、選択回路４２０は変換映像信号Ｓ４０１を選択し、選択回路４２１は変換映像信号Ｓ４１１を選択する。動き検出信号Ｓ１０が高速動画状態を表す場合、選択回路４２０は変換映像信号Ｓ４０２を選択し、選択回路４２１は変換映像信号Ｓ４１２を選択する。選択回路４３０は、高速化同期信号Ｓ３０に従って、高速化フレーム毎に各変換映像信号Ｓ４００、Ｓ４１０のいずれか１個を交互に選択し、補正映像信号Ｓ４０を生成する。
【００３９】
実施の形態２では、高速化同期信号Ｓ３０が偶高速化フレームを表す場合、選択映像信号Ｓ４２０が選択され、高速化同期信号Ｓ３０が奇高速化フレームを表す場合、選択映像信号Ｓ４２１が選択される。なお、高速化同期信号Ｓ３０が偶高速化フレームを表す場合、選択映像信号Ｓ４２１が選択され、高速化同期信号Ｓ３０が奇高速化フレームを表す場合、選択映像信号Ｓ４２０が選択されるようにしてもよい。
【００４０】
図５、図６、および図７は、実施の形態２によるガンマ特性の一例を示すグラフである。横軸は、高速化映像信号Ｓ２０の大きさを、線形目盛りで表す。縦軸は、各変換映像信号Ｓ４００、Ｓ４０１、Ｓ４０２、Ｓ４１０、Ｓ４１１、Ｓ４１２の大きさを、線形目盛りで表す。このような各ガンマ特性Ｔ４００、Ｔ４０１、Ｔ４０２、Ｔ４１０、Ｔ４１１、Ｔ４１２は、例えば、ＲＯＭやＲＡＭによるルックアップテーブルで構成される。また、演算器を用いて、演算により求めてもよい。
【００４１】
ガンマ特性Ｔ４００とガンマ特性Ｔ４１０の平均値、ガンマ特性Ｔ４０１とガンマ特性Ｔ４１１の平均値、およびガンマ特性Ｔ４０２とガンマ特性Ｔ４１２の平均値は、いずれも平均ガンマ特性Ｔ４０に大略同等である。これにより、動き検出信号Ｓ１０が静止画状態、低速動画状態、または高速動画状態のいずれの映像状態であっても、液晶パネル６０に表示される映像の輝度は、大略同等となる。すなわち、透過率は、いずれの映像状態であっても、一定となる。ガンマ補正回路４０は、平均ガンマ特性Ｔ４０が標準ガンマ特性に大略同等となるように、各ガンマ特性Ｔ４００、Ｔ４０１、Ｔ４０２、Ｔ４１０、Ｔ４１１、Ｔ４１２のうちいずれか１個を選択する。
【００４２】
各ガンマ特性Ｔ４００、Ｔ４１０は、平均ガンマ特性Ｔ４０に大略同等である。各ガンマ特性Ｔ４０１、Ｔ４０２は、平均ガンマ特性Ｔ４０を上回り、液晶パネル６０に表示される映像の輝度を上げる。各ガンマ特性Ｔ４１１、Ｔ４１２は、平均ガンマ特性Ｔ４０を下回り、液晶パネル６０に表示される映像の輝度を下げる。ガンマ特性Ｔ４０２、Ｔ４１２は、それぞれガンマ特性Ｔ４０１、Ｔ４１１よりも、平均ガンマ特性Ｔ４０との差が大きい。
【００４３】
図５は、動き検出信号Ｓ１０が静止画状態を表す場合のガンマ特性を示している。静止画状態では、先行するフレームと現在のフレームとの間で映像が動いていないため、動画時の残像は発生しない。したがって、残像の影響を抑えるためにガンマ特性Ｔ４００とガンマ特性Ｔ４１０とを異なる設定にする必要はない。すなわち、同一のガンマ特性を設定することが可能となるため、実際に表示される映像の輝度（透過率）も同等となり、フリッカ等の影響は発生しない。
【００４４】
図６は、動き検出信号Ｓ１０がゆっくりとした動きの状態、すなわち低速動画状態を表す場合のガンマ特性を示している。低速動画状態では、先行するフレームと現在のフレームとの間で映像がゆっくり動いているため、残像が発生しうる状態にある。したがって、ガンマ特性Ｔ４０１とガンマ特性Ｔ４１１とを異なる設定にして、残像の影響を抑えるようにする。これにより、短時間の黒挿入相当の動作と同等の効果を得ることができ、残像の発生を抑えることができる。また、ガンマ特性Ｔ４０１とガンマ特性Ｔ４１１との差が小さいので、実際に表示される映像の輝度（透過率）の違いは少なく、フリッカ等の影響は希少である。
【００４５】
図７は、動き検出信号Ｓ１０が速い動きの状態、すなわち高速動画状態を表す場合のガンマ特性を示している。高速動画状態では、先行するフレームと現在のフレームとの間で映像が速い速度で動いているため、一番大きな残像が発生しうる状態にある。したがって、ガンマ特性Ｔ４０２とガンマ特性Ｔ４１２との差を大きくし、動画時の大きな残像を抑えるようにする。これにより、一定時間の黒挿入相当の動作と同等の効果を得ることができる。この場合、ガンマ特性Ｔ４０２とガンマ特性Ｔ４１２との差は大きいが、フレーム間の映像が変化しているため、実際に表示される映像の輝度（透過率）の違いが、フリッカ等の影響として現れることは少ない。
【００４６】
以上のように、実施の形態１、２によれば、平均ガンマ特性を上回る場合と下回る場合の２種類のガンマ特性を用い、これらを高速化フレーム毎に交互に選択する。これにより、選択されたガンマ特性は時間軸上で平均化されるため、液晶パネルに表示される映像は、平均ガンマ特性に基づいた所望の階調特性を示すようになる。しかも、平均ガンマ特性を下回り、輝度が低下した高速化フレームを挿入することにより、輝度を維持したまま、動画状態における残像現象を縮小することが可能となる。さらに、静止画状態に近い状態であればフリッカ防止に重点を置き、高速動画状態に近い状態であれば残像現象の縮小に重点を置くため、フリッカ防止と残像現象縮小の両立が可能となる。
【００４７】
なお、実施の形態２においては、動き検出信号Ｓ１０の表す映像状態を、３種類に分類し、対応して３種類のガンマ特性を設定していた。ガンマ特性を設定する種類は２種類以上であれば、同様の効果が得られる。動き検出信号Ｓ１０の表す映像状態が、静止画状態から低速動画状態、高速動画状態へと高速化するにつれて、ガンマ特性は、平均ガンマ特性との差が単調増加的に大きくなるように設定される。
【００４８】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【００４９】
本発明は、映像表示装置、映像表示方法、および映像表示システムに利用できる。
【図面の簡単な説明】
【００５０】
【図１】実施の形態１による映像表示装置の構成を示すブロック図
【図２】実施の形態１による映像表示装置のガンマ補正回路の構成を示すブロック図
【図３】実施の形態１によるガンマ特性を示すグラフ
【図４】実施の形態２による映像表示装置のガンマ補正回路の構成を示すブロック図
【図５】実施の形態２による静止画状態におけるガンマ特性を示すグラフ
【図６】実施の形態２による低速動画状態におけるガンマ特性を示すグラフ
【図７】実施の形態２による高速動画状態におけるガンマ特性を示すグラフ
【図８】従来例の液晶表示装置の構成を示すブロック図
【符号の説明】
【００５１】
１  映像出力回路
２  映像高速化部
３  表示部
４、５  ガンマ変換部
６  選択部
１０  動き検出回路
２０  バッファメモリ
３０  Ｎ倍速制御回路
４０  ガンマ補正回路
５０  液晶駆動回路
６０  液晶パネル
４００、４０１、４０２、４１０、４１１、４１２  ガンマ変換回路
４２０、４２１、４３０  選択回路
【図１】
2008216648.tif 000003
【図２】
2008216648.tif 000004
【図３】
2008216648.tif 000005
【図４】
2008216648.tif 000006
【図５】
2008216648.tif 000007
【図６】
2008216648.tif 000008
【図７】
2008216648.tif 000009
【図８】
2008216648.tif 000010